(57)【要約】【課題】設置、取外し等の作業や、遊技機の種類に応じた設置高さの調整を容易に行うことができると共に、遊技者の足元のスペースを広く確保することができる支持枠を提供する。【解決手段】支持枠１は、設置面Ｆにアンカーボルトａを介して設置される支持脚１０，１０と、この支持脚１０，１０に掛け渡されて遊技機を支持する支持テーブル２０と、遊技機の左右に配置される間柱３０，３０・・・と、を備える支持枠１であって、支持テーブル２０は、間柱３０，３０・・・および遊技機を支持する上面部２２と、側面部２３と、支持脚１０，１０に支持される下面部２１と、を備え、側面部２３は下面部２１から上面部２２に向かって広がるように傾斜する傾斜面２３ａ，２３ｂを有し、下面部２１は支持脚１０，１０に着脱可能に取り付けられると共に、上面部２２は間柱３０，３０・・・を着脱可能に取り付けることを特徴とする。【選択図】図１
2008086677.tif 000002
【特許請求の範囲】
【請求項１】
設置面にアンカーボルトを介して設置される支持脚と、この支持脚の少なくとも２つに掛け渡されて遊技機を支持する支持テーブルと、この支持テーブルに支持される前記遊技機の左右の少なくとも一方に配置される間柱と、を備える支持枠であって、
前記支持テーブルは、前記間柱および前記遊技機を支持する上面部と、この上面部に連続する側面部と、この側面部に連続すると共に前記支持脚に支持される下面部と、を備え、
前記側面部はその少なくとも１面に前記下面部から前記上面部に向かって広がるように傾斜する傾斜面を有し、前記下面部は前記支持脚に着脱可能に取り付けられると共に、前記上面部は前記間柱を着脱可能に取り付けることを特徴とする支持枠。
【請求項２】
前記間柱の上端には、ランプ板または天板の少なくとも１種を備える上部パーツが着脱可能に取り付けられることを特徴とする請求項１に記載の支持枠。
【発明の詳細な説明】
【技術分野】
【０００１】
本発明は、パチンコ台、パチスロ台、テレビゲーム機等の遊技機を支持する支持枠に係り、特に取り扱いが容易で、遊技者の足元のスペースを確保しながら遊技機の種類に合わせて設置高さを容易に変化させることができる支持枠に関する。
【背景技術】
【０００２】
一般に、パチンコ台、パチスロ台、テレビゲーム機等の遊技機は、その種類によって操作する操作盤の高さが異なるので、遊技者が操作しやすいように、遊技機をその種類に応じて適正な高さに設置する必要がある。そこで、遊技機の種類を変えて設置する場合に対応することのできる支持枠が提案されている。
【０００３】
例えば、特許文献１には、遊技機を保持する取り付け枠と、取り付け枠を支持する本体枠と、本体枠の所定高さ位置に取り付け枠を配置して支持する位置調整機構とからなる遊技機の支持枠が記載されている。そして、本体枠は、その上部側に垂直支持平面を有すると共に、下部側に垂直支持平面より前方に脚部を設け、取り付け枠は、保持される遊技機の上端および下端を支持する上部フレームと下部フレームを有して構成されている。また、位置調整機構は、本体枠および取り付け枠の互いに当接する位置に設けた位置調整孔と、位置調整孔の合致位置で係合する係合手段と、から構成されている。
当該支持枠は、本体枠および取り付け枠のそれぞれに設けられた位置調整孔を任意の位置で合致させて、係合手段で係合することによって取り付け枠の高さを変えることができ、遊技機の設置高さを調整することができるようになっている。
【０００４】
また、特許文献２には、背中合わせに設置される遊技機の左右にそれぞれ配置され、遊技機を載置するための載置台を架設して用いられると共に、貸出機を支持する支持構造用柱と、この支持構造用柱を連結する連結部材とを備えて構成される支持枠が記載されている。そして、支持構造用柱は、長手方向における一端側に、載置台が取り付けられる取付機構を有して、遊技機を第１の高さに設置するために設けた第１支持部と、長手方向における他端側に、載置台が取り付けられる取付機構を有して、遊技機を第１の高さよりも低い第２の高さに設置するために設けた第２支持部と、第１支持部と第２支持部との間に、遊技機に隣接して貸出機を設置するために設けた側面開口凹部と、を備え、遊技機に対応して第１支持部あるいは第２支持部のいずれか一方が、設置面へ向けて設置される構成となっている。
当該支持枠は、遊技機に対応して第１支持部あるいは第２支持部のいずれか一方を設置面へ向けて設置し、取付機構を介して載置台を取り付けることで、遊技機の設置高さを調整することができるようになっている。
【特許文献１】特許第３５９８４８８号公報（段落０００６、図１，図２）
【特許文献２】特開２００５−３４４３２号公報（段落００２２，段落００２５、図１，図９）
【発明の開示】
【発明が解決しようとする課題】
【０００５】
しかしながら、前記したような従来の支持枠には、さらに改良する余地が残されていた。すなわち、特許文献１に記載の支持枠においては、本体枠および取り付け枠のそれぞれに設けられた位置調整孔を任意の位置で合致させて、係合手段で係合することによって取り付け枠の高さを簡単に変えることができるが、金属製の取り付け枠を上下方向へ移動させなければならないので、その作業自体は容易であるとはいえなかった。
【０００６】
また、特許文献２に記載の支持枠においては、遊技機の種類を変えて設置しようとするときには、支持構造用柱の天地を逆転させて設置し直すことにより、遊技機に合った設置高さとすることができるが、特に遊技機の入替えの場合、作業スペースの狭い遊技店内で支持構造用柱の天地を逆転させて設置し直すという作業は容易なことではなかった。
【０００７】
さらに、従来の支持枠は、遊技機の載置台の下方、すなわち、遊技者の足元付近に、設置面に対してほぼ垂直に立設するように取り付けられた隠し板や化粧板等を備えるので、遊技者の足元のスペースが十分に確保されていなかった。
【０００８】
そこで、本発明は、設置、取外し等の作業や、遊技機の種類に応じた設置高さの調整を容易に行うことができると共に、遊技者の足元のスペースを広く確保することができる支持枠を提供することを課題とする。
【課題を解決するための手段】
【０００９】
前記課題を解決するため、本発明に係る支持枠は、設置面にアンカーボルトを介して設置される支持脚と、この支持脚の少なくとも２つに掛け渡されて遊技機を支持する支持テーブルと、この支持テーブルに支持される遊技機の左右の少なくとも一方に配置される間柱と、を備える支持枠であって、支持テーブルは、間柱および遊技機を支持する上面部と、この上面部に連続する側面部と、この側面部に連続すると共に支持脚に支持される下面部と、を備え、側面部はその少なくとも１面に下面部から上面部に向かって広がるように傾斜する傾斜面を有し、下面部は支持脚に着脱可能に取り付けられると共に、上面部は間柱を着脱可能に取り付けることを特徴とする。
【００１０】
このような支持枠によれば、アンカーボルトを介して支持脚が設置され、その支持脚上に遊技機および間柱を支持する支持テーブルが設置される。そして、支持枠では間柱が設置面に支持されることなく、支持脚により全体が支持されているので、組み立てる場合は上へ積み上げるように、取外す場合は上から取り除くようにして取り扱うことができる。また、支持脚の高さを変えることによって遊技機の設置高さを変えることができる。さらに、側面部の少なくとも１面に下面部から上面部に向かって広がるように傾斜する傾斜面が形成された支持テーブルを備えるので、遊技者の足元のスペースを広く確保することができる。
【００１１】
また、本発明に係る支持枠の間柱の上端には、ランプ板または天板の少なくとも１種を備える上部パーツが着脱可能に取り付けられることを特徴とする。
このような支持枠によれば、ランプ板または天板の少なくとも１種を備える上部パーツが着脱可能に取り付けられるので、支持枠に設置される遊技機の種類に応じて上部パーツを適宜選択することができる。
【発明の効果】
【００１２】
本発明に係る支持枠によれば、以下に示すような優れた効果を奏する。
支持枠は、支持脚と、支持テーブルと、間柱とから構成されているので部品点数が少なく、かつ、組み立てる場合は上へ積み上げるように、取外す場合は上から取り除くようにして取り扱うことができるので、設置（組み立て）作業や取外し（分解）作業を容易に行うことが可能である。
【００１３】
支持枠は、支持脚の高さを変えることによって遊技機の設置高さを変えることができるように構成されているので、設置（組み立て）作業において、高さの異なる支持脚を使用することで、遊技機の種類に合わせて設置高さを容易に変化させることが可能である。
【００１４】
支持枠は、側面部の少なくとも１面に下面部から上面部に向かって広がるように傾斜する傾斜面が形成された支持テーブルを備えるので、遊技者の足元のスペースを広く確保することができる。これにより、遊技者は狭い思いをすることなく、快適に遊技機を操作することが可能となる。また、支持枠は、支持テーブルが支持脚に掛け渡されて設置されるので、支持脚を交換したとしても遊技者の足元のスペースを確保することができるので、遊技者の足元のスペースを確保しながら、遊技機の種類に合わせて設置高さを変化させることが可能である。
【発明を実施するための最良の形態】
【００１５】
以下、本発明の実施形態を適宜図面を参照して説明する。
図１は支持枠の全体を示す分解斜視図、図２は支持枠の全体を示す斜視図である。図３（ａ）は支持枠にパチスロ台を設置した状態を示す正面図、（ｂ）は支持枠にパチンコ台を設置した状態を示す正面図である。図４は支持枠を示す側面図である。図５（ａ）〜（ｆ）は支持枠を設置する手順を示す模式図である。図６は支持枠に設置される膳板を説明するための斜視図である。図７は他の実施形態に係る支持枠の全体を示す分解斜視図である。図８（ａ）は支持枠の使用状態の例を示す正面図、（ｂ）は支持枠の使用状態の例を示す平面図（上部パーツを除く）である。図９（ａ）は支持枠の使用状態の他の例を示す正面図、（ｂ）は支持枠の使用状態の他の例を示す平面図（上部パーツを除く）である。図１０（ａ）は他の実施形態に係る支持枠を示す側面図、（ｂ）は支持枠を示す斜視図である。
なお、以下の説明において、「左右」とは支持枠に設置される遊技機の左右方向を指すものとし、「前後」とは支持枠に設置される遊技機の正面（遊技者側）・背面の方向を指すものとする。
【００１６】
図１，図２に示すように、支持枠１は、例えば、パチンコ台、パチスロ台、テレビゲーム機等の遊技機を支持するためのものであり、遊技場（例えば、パチンコ店等）の設置面Ｆにアンカーボルトａを介して設置される支持脚１０，１０と、この支持脚１０，１０に掛け渡される支持テーブル２０と、この支持テーブル２０に支持される複数の間柱３０と、この間柱３０の上端に取り付けられる上部パーツ４０とを備えている。そして、支持枠１は、ここでは図３に示すように、正面に２台と、その背中合わせ（図４参照）に２台の合計４台の遊技機をセットで設置するユニット構造に形成されている。
【００１７】
支持枠１は、図１に示すように、遊技場の設置面Ｆに予め設けられたアンカーベースＡのアンカーボルトａに支持脚１０，１０が固定され、この支持脚１０，１０の上面に支持テーブル２０が設置・固定された状態で遊技機を支持する。
以下に、支持枠１の各構成について、適宜図面を参照して説明する。
【００１８】
図１に示すように、支持脚１０は、支持テーブル２０を介して遊技機を支持するためのものであり、ボルト取付面１１と、前後側面１２，１２と、左右側面１３，１３と、テーブル設置面１４とを備えている。この支持脚１０は、遊技場の設置面ＦにアンカーベースＡのアンカーボルトａを介して設置される。
【００１９】
ボルト取付面１１は、支持脚１０の底面部を構成し、アンカーベースＡに設けられたアンカーボルトａと対応する位置に、アンカーボルトａと係合するための複数の係合孔（図示せず）が形成されている。
前後側面１２は、支持脚１０の前後方向の側面部を構成し、ボルト取付面１１に対して垂直に立設するように設けられている。
左右側面１３は、支持脚１０の左右方向の側面部を構成し、ボルト取付面１１に対して垂直に立設するように設けられている。
テーブル設置面１４は、支持テーブル２０を設置・支持するものであり、前後側面１２，１２および左右側面１３，１３の上端面によって形成される矩形の枠形状をした面である。このテーブル設置面１４には、支持テーブル２０を固定するための複数の取付孔（例えば、ネジ孔等。図示せず）が形成されている。
【００２０】
ここで、支持脚１０，１０は、図２，図３に示すように、支持テーブル２０をテーブル設置面１４の半面（左半面または右半面）で支持している。これは、後記する使用状態において、支持枠１を左右方向に複数並べることができるように、他の半面に別の支持テーブル２０を設置するためである（図８，図９参照）。そこで、以下の説明においては、説明の便宜のため、１つの支持脚１０のテーブル設置面１４において、一方の支持テーブル２０を支持する面を第１設置面１４ａ（または第２設置面１４ｂ）とし、別の支持テーブル２０を支持する面を第２設置面１４ｂ（または第１設置面１４ａ）とする。
【００２１】
なお、支持脚１０は、各部ごと、すなわち、ボルト取付面１１、前後側面１２，１２、左右側面１３，１３ごとに予め作製された金属板を溶接することで形成してもよいし、１枚の金属板を折り曲げかつ溶接することで形成してもよく、その形成方法は特に限定されるものではない。
【００２２】
図１，図２に示すように、支持テーブル２０は、遊技機を支持するためのものであり、下面部２１と、上面部２２と、側面部２３とを備えている。この支持テーブル２０は、ここでは２つの支持脚１０，１０に掛け渡されて設置される。
【００２３】
下面部２１は、支持テーブル２０の底面部を構成し、支持脚１０のテーブル設置面１４に支持されるものである。この下面部２１には、支持脚１０のテーブル設置面１４に設けられた取付孔（図示せず）と対応する位置に、ネジ等の締結具を通すための複数の貫通孔（図示せず）が形成されている。
【００２４】
上面部２２は、支持テーブル２０の上面を構成し、間柱３０および遊技機を支持する台部２２ａ，２２ｂと、支持テーブル２０の内部に配置される設備の一部を遊技機に接続するための上部開口２２ｃとからなっている。
台部２２ａ，２２ｂには、間柱３０を固定するための複数の取付孔（例えば、ネジ孔等。図示せず）が、間柱３０の取付位置にそれぞれ形成されている。
なお、支持テーブル２０の内部に配置される設備とは、例えば、遊技機に電力を供給する電源コード等の各種配線類や、支持枠１に設置されたパチンコ台からの出玉（パチンコ玉）を搬送するに搬送部（パチンコ玉自動補給機の一部）等である。
【００２５】
側面部２３は、支持テーブル２０の側面を構成し、前後方向に配置される傾斜面２３ａ，２３ｂと、左右方向に配置される側部開口２３ｃ，２３ｄとからなっている。
傾斜面２３ａ，２３ｂは、下面部２１から上面部２２に向かって広がるように形成されている。このような傾斜面２３ａ，２３ｂを備えることにより、支持枠１は、図４に示すように、遊技者の足元のスペースを広く確保することができる。
側部開口２３ｃ，２３ｄは、後記する支持枠１の使用状態（図８，図９参照）において、左右方向に配置される別の支持テーブル２０，２０・・・の内部の空間を連通させて、支持テーブル２０の内部に配置される設備を複数の支持枠１，１・・・に亘って配置することができるようにするためのものである。
【００２６】
なお、支持テーブル２０の下面部２１および上面部２２の前後方向の幅寸法と、支持脚１０の左右側面１３，１３の前後方向の幅寸法は、支持枠１（支持テーブル２０）に設置される遊技機の前後方向の幅寸法に応じて適宜設定することができる。この際、左右側面１３，１３の前後方向の幅寸法は、下面部２１の前後方向の幅寸法と等しく設定することが望ましい。
【００２７】
図１に示すように、間柱３０は、支持テーブル２０に支持される遊技機間の隙間を隠蔽すると共に上部パーツ４０を支持するためのものであり、下部取付面３１と、上部取付面３２と、柱部３３とを備えている。この間柱３０は、支持テーブル２０の台部２２ａ（または台部２２ｂ）に支持されて遊技機の左右の少なくとも一方に配置される。
【００２８】
下部取付面３１は、立設して配置される間柱３０の下端面を構成し、支持テーブル２０の台部２２ａ，２２ｂに設けられた取付孔（図示せず）と対応する位置に、ネジ等の締結具を通すための貫通孔（図示せず）が少なくとも１つ以上形成されている。
上部取付面３２は、立設して配置される間柱３０の上端面を構成し、上部パーツ４０を固定するネジ等の締結具を通すための貫通孔（図示せず）が少なくとも１つ以上形成されている。
【００２９】
柱部３３は、図２に示すように、正面板３３ａと側面板３３ｂ，３３ｂとからなり、水平断面形状がコ字形になるように形成されている。前記した下部取付面３１および上部取付面３２は、柱部３３の下端および上端において、正面板３３ａと２つの側面板３３ｂ，３３ｂとを接続するように形成されている。
間柱３０は、柱部３３の正面板３３ａが隣接して配置される遊技機（図３参照）の正面側を向くように支持テーブル２０の台部２２ａ（または台部２２ｂ）に取り付けられる。
【００３０】
柱部３３の側面板３３ｂ，３３ｂの下端付近には、図１，図２に示すように、側面視略Ｌ字形をなす脚部が形成されている。これにより、正面板３３ａと２つの側面板３３ｂ，３３ｂとを接続するように形成される下部取付面３１の面積を大きくすることができるので、下部取付面３１と支持テーブル２０の台部２２ａ（または台部２２ｂ）との設置面積を大きくすることができる。これにより、立設して設置される間柱３０の耐荷重性や安定性を増すことができる。このような脚部は、側面板３３ｂ，３３ｂの上端付近にも形成することができる。
【００３１】
なお、間柱３０は、各部ごと、すなわち、下部取付面３１、上部取付面３２、正面板３３ａ、側面板３３ｂ，３３ｂごとに予め作製された金属板を溶接することで形成してもよいし、１枚の金属板を折り曲げかつ溶接することで形成してもよい。また、金属板の折り曲げによって柱部３３を形成した後、別に作製された下部取付面３１および上部取付面３２を溶接することで形成してもよく、その形成方法は特に限定されるものではない。
【００３２】
図１，図２に示すように、上部パーツ４０は、取付板４１，４１と、ランプ板４２，４２と、天板４３と、連結部材４４，４４（一方は図示せず）とを備えている。この上部パーツ４０は、遊技機の上方に配置され、間柱３０，３０・・・に亘って設置される。
【００３３】
取付板４１は、上部パーツ４０の底面部に配置され、その下端部分が間柱３０の上部取付面３２に設置・固定されるものである。この取付板４１，４１は、左右方向の両端が連結部材４４，４４（一方は図示せず）によって連結されているため、取付板４１，４１の間に隙間が形成されている（図１，図２参照）。この隙間は、上部パーツ４０の内部に配置される設備（例えば、自動補給機や紙幣搬送機等の電気機器、電源コード等の配線類等）の一部を通して、遊技機や遊技機に隣接して配置される貸出機に接続するためのものである。
【００３４】
ランプ板４２は、上部パーツ４０の前後方向（遊技機の正面側）に配置されるものであり、開口部４２ａと、取付部４２ｂと、凹部４２ｃとを有している。
開口部４２ａは、上部パーツ４０の内部に配置される設備（例えば、自動補給機や紙幣搬送機等の電気機器、電源コード等の配線類等）のメンテナンスや修理等に使用されるものであり、支持枠１の使用状態においては、蝶番によって正面方向に開閉自在に軸支された幕板（図示せず）等で遮蔽されている。
取付部４２ｂは、ナンバーランプ等のランプ類を取り付けるためのものである。
凹部４２ｃは、例えば、支持枠１にパチスロ台やパチンコ台を設置した時に、コインやパチンコ玉を収納するプラスチック製の箱（いわゆるドル箱）を重ねて収容する収納部等として使用されるものである。
【００３５】
天板４３は、ランプ板４２，４２の上端に配置されてその隙間を遮蔽するものであるが、必ず取り付ける必要はなく、ランプ板４２，４２の背面の上方付近を連結部材で連結した構成としてもよい（図示せず）。
【００３６】
なお、本実施形態においてランプ板は、図３に示すように、パチスロ台用（４２）とパチンコ台用（４２Ｐ）とを用意しており、その違いとしては、取付孔４２ｂ，４２ｂの形成位置と、凹部４２ｃの形成位置とが上下方向において異なる配置であることと、パチスロ台用のランプ板４２の上下方向の幅寸法が、パチンコ台用のランプ板４２Ｐよりも長く形成されていることである。
【００３７】
以上説明した上部パーツ４０は一例であり、これらの構成を全て備えている必要は特にはない。すなわち、例えば、支持枠１にパチスロ台やパチンコ台を設置する場合であっても、凹部４２ｃを備えないランプ板（図示せず）や、凹部４２ｃと開口部４２ａとを備えないランプ板（図示せず）を使用して上部パーツ（図示せず）を構築することもできる。また、電源コードのみを必要とするテレビゲーム機等を設置する場合であれば、天板４３だけを備える支持枠（図示せず）としてもよいし、上部パーツ４０を備えない支持枠（図示せず）としてもよい。
【００３８】
以上のように構成された支持枠１は、構成要素（部品点数）が少なく、かつ、各構成要素が着脱可能に構成されているので、設置（組み立て）作業や取外し（分解）作業、移動作業、搬入出作業等を容易に行うことができるため、その取り扱いが容易である。
また、支持枠１は、傾斜面２３ａ，２３ｂが形成された支持テーブル２０を備えるので、遊技者の足元のスペースを広く確保することができる（図４参照）。これにより、遊技者は狭い思いをすることなく、快適に遊技機を操作することが可能となる。
さらに、支持枠１は、上部パーツ４０の構成を自由に変更することができるようにすると共に、上部パーツ４０を間柱３０，３０・・・に着脱自在に取り付けることができる構造としたので、設置される遊技機の種類に応じた多様な形態に構築することが可能となる。
【００３９】
以上、説明した構成の支持枠１を、図５（適宜図１，図２参照）を参照して遊技場の設置面Ｆに設置する手順を、設置現場で支持枠１の各構成を順次取り付けて支持枠１を設置し、パチスロ台Ｓを支持枠１に設置する場合を例として説明する。
【００４０】
（１）図５（ａ）に示すように、支持脚１０，１０を、アンカーボルトａを備えるアンカーベースＡを所定の間隔で設けた遊技場の設置面Ｆ（図１参照）に設置する。この時、支持脚１０のボルト取付面１１に形成された係合孔にアンカーボルトａを係合して、ナット（図示せず）を螺合・締結することにより、支持脚１０が、アンカーボルトａを備えるアンカーベースＡを介して設置面Ｆに固定される。
【００４１】
（２）図５（ｂ）に示すように、支持テーブル２０を、支持脚１０，１０に掛け渡すように設置する。この時、支持テーブル２０の下面部２１の左右方向のそれぞれの端部を、右側の支持脚１０の第１設置面１４ａと左側の支持脚１０の第２設置面１４ｂとに設置し、各テーブル設置面１４（図１参照）に形成された取付孔（図示せず）と下面部２１に形成された貫通孔（図示せず）とを合致して、上方向よりネジ等の締結具（図示せず）で固定する。
【００４２】
（３）図５（ｃ）に示すように、間柱３０ａ，３０ｂ，３０ｃ，３０ｄ（いずれも間柱３０と同様のものである）を、支持テーブル２０の台部２２ａ，２２ｂ（図１参照。なお、図５では台部２２ａが手前側とする）に取り付ける。この時、間柱３０ａ，３０ｃを台部２２ａ（手前側）に、間柱３０ｂ，３０ｄを台部２２ｂ（奥側）に取り付ける（図１，図２参照）。そして、台部２２ａ，２２ｂに形成された取付孔（図示せず）と下部取付面３１（図１参照）に形成された貫通孔（図示せず）とを合致して、上方向よりネジ等の締結具（図示せず）で固定する。
なお、本設置手順では、支持テーブル２０を支持脚１０，１０に固定した後に間柱３０ａ，３０ｂ，３０ｃ，３０ｄを取り付けているが、これに限定されず、間柱３０ａ，３０ｂ，３０ｃ，３０ｄを支持テーブル２０に取り付けた後に支持脚１０，１０に固定する設置手順としてもよい。
【００４３】
（４）図５（ｄ）に示すように、上部パーツ４０を、間柱３０ａ，３０ｂ，３０ｃ，３０ｄの上部取付面３２（図１参照）に取り付ける。この時、ネジ等の締結具（図示せず）を下方向より間柱３０ａ，３０ｂ，３０ｃ，３０ｄの上部取付面３２に形成された貫通孔（図示せず）に通して、上部パーツ４０の取付板４１，４１（図１，図２参照）に固定する。以上の手順によって、支持枠１が設置される。
【００４４】
（５）そして、図５（ｅ）に示すように、支持枠１に膳板５０を介して貸出機Ｋが正面に２台、背面に２台（図示せず）、それぞれ設置される。さらに、図５（ｆ）に示すように、支持枠１に膳板５０を介してパチスロ台Ｓが正面に２台、背面に２台（図示せず）、それぞれ貸出機Ｋに隣接して設置される。この時、パチスロ台Ｓは、下方向より膳板５０を介して、上方向より上部パーツ４０の取付板４１を介してそれぞれネジやクギ等によって固定される（図３に示すパチンコ台Ｐも同様にして固定される）。
なお、本設置手順では、上部パーツ４０を間柱３０ａ，３０ｂ，３０ｃ，３０ｄに取り付けた後に貸出機Ｋやパチスロ台Ｓを設置しているが、これに限定されず、貸出機Ｋやパチスロ台Ｓを設置した後に上部パーツ４０を取り付ける設置手順としてもよい。
【００４５】
（６）最後に、ランプ類、自動補給機や紙幣搬送機等の電気機器、電源コード等の配線類、飾り等を設置する（図示せず）。
なお、各構成同士（例えば、支持脚１０と支持テーブル２０、支持テーブル２０と間柱３０、間柱３０と上部パーツ４０等）の固定手段や固定方法は、着脱可能に構成されていれば、以上の説明において述べた手段や方法に限定されるものではない。
【００４６】
ここで、膳板５０について簡単に説明する。膳板５０は、支持テーブル２０の台部２２ａ，２２ｂ（図１参照）と、パチスロ台Ｓ（遊技機）や貸出機Ｋとの間に設けられる厚さが例えば約３０ｍｍの木製の板材であり、通常は、図５（ｆ）に示すように、パチスロ台Ｓ（遊技機）２台に対して膳板５０が１枚使用される。この膳板５０は、図６に示すように、間柱３０ａ，３０ｃ（または間柱３０ｂ，３０ｄ）の位置に切欠きが設けてあり、台部２２ａ（または台部２２ｂ）に上方向よりタッピングビス（図示せず）等で固定されている。
【００４７】
次に、図３，図５を参照して、スロット台Ｓを設置していた支持枠１にパチンコ台Ｐを設置する手順、すなわち、台の入替作業を行う場合について説明する。なお、図３においても、図５と同様に台部２２ａを手前側とする。
まず、台の取外し作業は、図５（ｆ）から（ａ）に向かって作業することになる。すなわち、パチスロ台Ｓと貸出機Ｋを膳板５０と共に取外し、上部パーツ４０、間柱３０ａ，３０ｂ，３０ｃ，３０ｄ、支持テーブル２０、支持脚１０，１０の順に取外していくことになる。
【００４８】
そして、今度は、パチンコ台用の高さを有する支持脚１０Ｐ，１０Ｐを、アンカーボルトａを備えるアンカーベースＡを所定の間隔で設けた遊技場の設置面Ｆ（図１参照）に設置する。次に、支持テーブル２０を支持脚１０Ｐ，１０Ｐに掛け渡すように設置し、間柱３０，３０・・・を支持テーブル２０の台部２２ａ，２２ｂ（図１参照）に取り付け、パチンコ台用の上部パーツ４０Ｐを間柱３０，３０・・・の上部取付面３２（図１参照）に取り付ける。以上の手順によって、パチンコ台用の支持枠１が設置される。さらに、支持枠１に膳板５０を介して、パチンコ台用の貸出機ＫＰが正面に２台、背面に２台（図示せず）、それぞれ設置され、パチンコ台Ｐが正面に２台、背面に２台（図示せず）、それぞれ貸出機ＫＰに隣接して設置される。
【００４９】
なお、図３に示すように、貸出機Ｋ（パチスロ台用）および貸出機ＫＰ（パチンコ台用）は、遊技機の種類（パチスロ台Ｓまたはパチンコ台Ｐ）に応じて設置位置が変わる場合がある。そこで、支持枠１は、図５（ｃ）に示す段階で、支持テーブル２０の台部２２ａ，２２ｂ（図１参照）における間柱３０ａ，３０ｂ，３０ｃ，３０ｄの取付位置を変えることにより、貸出機Ｋ，ＫＰの設置位置の変化に対応することができるようになっている。
【００５０】
支持テーブル２０の台部２２ａ，２２ｂには、それぞれ、パチスロ台Ｓを設置する場合の間柱３０，３０・・・の取付位置、および、パチンコ台Ｐを設置する場合の間柱３０，３０・・・の取付位置に対応する位置に予め取付孔（図示せず）を形成しておくことが望ましい。
【００５１】
以上、説明したように、支持枠１は、組み立てる場合は上へ積み上げるように、取外す場合は上から取り除くようにして取り扱うことができるので、設置（組み立て）作業や取外し（分解）作業を容易に行うことが可能である。また、支持枠１は、分解することで、支持枠１の全体を移動する場合と比較して容易に移動することができ、かつ、搬送スペースを小さくできるので、搬入出作業を容易に行うことが可能である。
【００５２】
支持枠１は、設置（組み立て）作業において、高さの異なる支持脚１０Ｐ，１０Ｐを使用することで、遊技機の種類に合わせて設置高さを容易に変化させることが可能である。また、支持テーブル２０が支持脚１０（１０Ｐ），１０（１０Ｐ）に掛け渡されて設置されるので、支持脚１０，１０を支持脚１０Ｐ，１０Ｐに交換したとしても遊技者の足元のスペースを確保することができる（なお、支持脚１０Ｐ，１０Ｐを支持脚１０，１０に交換する場合も同様である）。すなわち、支持枠１は、足元のスペースを確保しながら、遊技機の種類に合わせて設置高さを変化させることが可能である。
【００５３】
支持枠１は、支持テーブル２０の台部２２ａ，２２ｂ（図１参照）における間柱３０，３０・・・の取付位置を変えることができるので、遊技機の種類や貸出機Ｋ，ＫＰの設置位置等に応じて多様な支持枠１を構築することが可能である。また、支持枠１は、支持脚１０（１０Ｐ）と同様に、高さ（柱部３３の上下方向の幅寸法）の異なる間柱（図示せず）を使用することができる。これにより、高さ寸法が異なる遊技機に対応する支持枠１を構築することが可能となる。
【００５４】
なお、支持枠１は、工場等の設置現場以外の場所で組み立てた状態で設置現場に搬入して設置面Ｆに設置することとしてもよい。この時、図７に示すような、左右側面１３，１３の代わりに中央壁１５を備えた支持脚１０Ｈ（他の構成は支持脚１０とほぼ同様である。なお、係合孔１１ａはアンカーボルトａと係合するためのものである）を使用することが望ましい。
【００５５】
このような支持脚１０Ｈを使用することによって、支持脚１０Ｈ，１０Ｈをアンカーボルトａに固定する場合には、左右方向からナット等の締め付け作業を行うことができるので、組み立てた状態の支持枠１を設置現場に搬入して設置する場合であってもアンカーボルトａに固定することが可能となる。
【００５６】
また、図３においては、１台のパチスロ台Ｓが１台の貸出機Ｋに隣接して設置され、１台のパチンコ台Ｐが１台の貸出機ＫＰに隣接して設置されているが、これに限定されず、例えば、２台のパチスロ台Ｓ，Ｓの間に１台の貸出機Ｋが設置される構成（図９参照）や、１台のパチンコ台Ｐが左右方向に２台並べて設置された貸出機ＫＰ，ＫＰに隣接して設置される構成（図示せず）としてもよい。
【００５７】
次に、支持枠１の使用状態を、図８，図９（適宜図１，図２参照）を参照して、支持枠１を４ユニット並べてパチスロ台Ｓと貸出機Ｋを設置した場合を例として説明する。
【００５８】
図８に示すように、遊技機島２（一定数の遊技機ごとのまとまり）は、４台の支持枠１Ｗ，１，１，１Ｗを左右方向に並べて配置し、それぞれ膳板５０（図６参照）を介して、１ユニットあたり４台のパチスロ台Ｓ（遊技機）と、それぞれのパチスロ台Ｓの正面視右側に隣接して配置された貸出機Ｋとを設置して構成されている。
【００５９】
ここで、支持枠１Ｗとは、遊技機島２のそれぞれの端部に配置されるユニットであり、支持テーブル２０Ｗおよび上部パーツ４０Ｗの端部側の左右方向の幅寸法が、中間部分に配置される支持枠１の支持テーブル２０および上部パーツ４０の左右方向の幅寸法よりも、支持脚１０の第１設置面１４ａ（または第２設置面１４ｂ）（図１，図２参照）の左右方向の幅寸法だけ長くなるように形成されたものである。この支持枠１Ｗの支持テーブル２０Ｗの幅寸法が長くなった部分には、間柱３０と、隙間を遮蔽するための化粧板Ｄがそれぞれ配置される。
なお、支持枠１Ｗを使用せずに、支持枠１のみを複数並べて遊技機島２を構成することとしてもよい。
【００６０】
以上、説明した構成の遊技機島２を遊技場の設置面Ｆに設置する手順を簡単に説明する（適宜図５参照）。
（１）支持脚１０，１０・・・を、アンカーボルトａを備えるアンカーベースＡを所定の間隔で設けた遊技場の設置面Ｆ（図１参照）に設置する。
（２）支持テーブル２０Ｗ，２０，２０，２０Ｗを、支持脚１０，１０・・・に掛け渡すように設置する。この時、支持テーブル２０Ｗは、端部に配置された支持脚１０のテーブル設置面１４の全面（第１設置面１４ａおよび第２設置面１４ｂ）を覆うように設置されることとなる。
（３）間柱３０，３０・・・を、支持テーブル２０Ｗ，２０，２０，２０Ｗに取り付ける。この時、支持テーブル２０Ｗには、５本の間柱３０が取り付けられることとなる（図８（ｂ）参照）。
（４）上部パーツ４０を支持テーブル２０に取り付けられた間柱３０，３０・・・に、上部パーツ４０Ｗを支持テーブル２０Ｗに取り付けられた間柱３０，３０・・・にそれぞれ取り付ける。
【００６１】
（５）支持枠１Ｗ，１，１，１Ｗに膳板５０，５０・・・を介して貸出機Ｋ，Ｋ・・・を設置する。そして、パチスロ台Ｓを貸出機Ｋに隣接して設置する。最後に、ランプ類、自動補給機や紙幣搬送機等の電気機器、電源コード等の配線類、化粧板Ｄや飾り等を設置する。以上のようにして、遊技機島２は設置されることとなる。
なお、支持テーブル２０（２０Ｗ）に先に間柱３０，３０・・・を取り付けてから支持脚１０，１０に設置することや、貸出機Ｋやパチスロ台Ｓを設置した後に上部パーツ４０（４０Ｗ）を取り付けることとしてもよいことは、支持枠１を設置する場合と同様である。
【００６２】
また、他の使用状態として、図９に示すように、遊技機島３は、４台の支持枠１Ｗ，１，１，１Ｗを左右方向に並べて配置し、それぞれ膳板５０（図６参照）を介して、１ユニットあたり４台のパチスロ台Ｓ（遊技機）と、パチスロ台Ｓとパチスロ台Ｓとの間に配置された２台の貸出機Ｋとを設置して構成されている。
【００６３】
この遊技機島３を構成する支持枠１（１Ｗ）は、それぞれのパチスロ台Ｓの左右に間柱３０，３０が、パチスロ台Ｓと貸出機Ｋとの隙間を遮蔽するように配置されており、１ユニットあたり合計で８本の間柱３０が備えられている。
このように、支持枠１（１Ｗ）は、間柱３０の取付位置や高さ（上下方向の幅寸法）だけではなく、間柱３０の本数を適宜変更することもできる。
【００６４】
以上、説明したように、支持枠１は、間柱３０の取付位置や本数を自由に変えることによって、支持テーブル２０に設置されるパチスロ台Ｓ（遊技機）の配置や貸出機Ｋの配置・台数等を自由に変更することができる。さらに、前記したように、支持枠１に設置される遊技機の種類に応じて上部パーツ４０を変えたり、支持脚１０の高さを変えたりすることもできるので、支持枠１は、多様な遊技機島の形状に対応させることが可能となる。
【００６５】
なお、遊技機島を構築するにあたり、並べる支持枠１（１Ｗ）の数（ユニット数）は、図８，図９に示すように、４ユニットに限定されるものではなく、遊技場の床面積や設置スペース等に応じて適宜変更することができる（当然、設置スペースによっては、１ユニットで使用状態としてもよい）。
また、設置する遊技機の種類はパチスロ台Ｓに限定されるものではなく、その他の遊技機、例えば、パチンコ台Ｐ（図３参照）やテレビゲーム機（図示せず）等であってもよい。
さらに、図８，図９に示すように、全ての支持枠１（１Ｗ）に同種の遊技機（図８，図９においてはパチスロ台Ｓ）を設置してもよいし、異種の遊技機（例えば、パチンコ台Ｐ）を設置した支持枠１（１Ｗ）を混在させて遊技機島を形成してもよい。
【００６６】
以上、本発明の一実施形態について説明したが、本発明の実施形態はこれらに限定されるものではない。具体的な構成については、本発明の趣旨を逸脱しない範囲で適宜変更が可能である。
例えば、図１０に示すように、片側のみに２台の遊技機をセットで設置するユニット構造（片面タイプ）の支持枠１’としてもよい。このような支持枠１’を使用することで、遊技場の壁面側にも遊技機を設置することができるので、遊技場のスペースを有効に利用することが可能となる。
【００６７】
また、支持枠１においては、１つの支持脚１０のテーブル設置面１４に、２つの支持テーブル２０，２０の下面部２１，２１の左右方向の一端が支持される構成（図８，図９参照）、すなわち、支持脚１０が２つの支持テーブル２０，２０に共用される構成となっているが、これに限定されるものではない。すなわち、１つの支持脚１０のテーブル設置面１４に、１つの支持テーブル２０の下面部２１の左右方向の一端が支持される構成、すなわち、支持脚１０が共用されない構成としてもよい。なお、この場合、左右方向の幅寸法を、支持脚１０の左右方向の幅寸法よりも短くした支持脚（図示せず）を使用することが望ましい。
【図面の簡単な説明】
【００６８】
【図１】本発明の一実施形態に係る支持枠の全体を示す分解斜視図である。
【図２】本発明の一実施形態に係る支持枠の全体を示す斜視図である。
【図３】（ａ）は本発明の一実施形態に係る支持枠にパチスロ台を設置した状態を示す正面図、（ｂ）は本発明の一実施形態に係る支持枠にパチンコ台を設置した状態を示す正面図である。
【図４】本発明の一実施形態に係る支持枠を示す側面図である。
【図５】（ａ）〜（ｆ）は本発明の一実施形態に係る支持枠を設置する手順を示す模式図である。
【図６】本発明の一実施形態に係る支持枠に設置される膳板を説明するための斜視図である。
【図７】本発明の他の実施形態に係る支持枠の全体を示す分解斜視図である。
【図８】（ａ）は本発明の一実施形態に係る支持枠の使用状態の例を示す正面図、（ｂ）は本発明の一実施形態に係る支持枠の使用状態の例を示す平面図（上部パーツを除く）である。
【図９】（ａ）は本発明の一実施形態に係る支持枠の使用状態の他の例を示す正面図、（ｂ）は本発明の一実施形態に係る支持枠の使用状態の他の例を示す平面図（上部パーツを除く）である。
【図１０】（ａ）は本発明の他の実施形態に係る支持枠を示す側面図、（ｂ）は本発明の他の実施形態に係る支持枠を示す斜視図である。
【符号の説明】
【００６９】
１      支持枠
１０    支持脚
２０    支持テーブル
２１    下面部
２２    上面部
２３    側面部
２３ａ，２３ｂ  傾斜面
３０    間柱
４０    上部パーツ
４２    ランプ板
４３    天板
Ａ      アンカーベース
ａ      アンカーボルト
Ｆ      設置面
Ｐ      パチンコ台
Ｓ      パチスロ台
【図１】
2008086677.tif 000003
【図２】
2008086677.tif 000004
【図３】
2008086677.tif 000005
【図４】
2008086677.tif 000006
【図５】
2008086677.tif 000007
【図６】
2008086677.tif 000008
【図７】
2008086677.tif 000009
【図８】
2008086677.tif 000010
【図９】
2008086677.tif 000011
【図１０】
2008086677.tif 000012